(57)【特許請求の範囲】
【請求項１】
開口部を有する板状の基板の一方の面に手のひらを沿わせて手に装着して用いるボディマッサージ具；
及び、
感覚剤を含有し、希釈前の２５℃での粘度が５００〜３０００００ｍＰａ・ｓであり、水により２倍に希釈した時には、粘度が低下して２５℃での粘度が５０〜１５０００ｍＰａ・ｓとなるマッサージ剤；
を有するボディマッサージキットであって、
前記開口部は、前記基板をその表裏に亘って貫通し、開口面積が２〜２４ｃｍ2であり、且つボディマッサージ具を手に装着した際に該手の指股部又は指股部近傍に配置される、ボディマッサージキット。
【請求項２】
前記開口部は、手のひらからはみ出ない大きさに形成されている請求項１記載のボディマッサージキット。
【請求項３】
前記開口部は、最大でも人指し指、中指、及び薬指の第１関節から親指の付け根までの大きさである請求項１又は２記載のボディマッサージキット。
【請求項４】
前記開口部は、当該開口部を２等分割する線分に沿った断面において、当該開口部の開口幅が前記基板の幅に対して２０〜７０％の幅である請求項１〜３の何れか１項記載のボディマッサージキット。
【請求項５】
前記開口部は、前記基板の中央領域に存在する請求項１〜４の何れか１項記載のボディマッサージキット。
【請求項６】
前記水により２倍に希釈した時の２５℃での粘度が、前記希釈前の２５℃での粘度の３／４〜１／２００である、請求項１〜５の何れか１項記載のボディマッサージキット。
【請求項７】
感覚剤が、ｌ−メントール、ｄｌ−メントール、乳酸メンチル、３−ｌ−メントキシプロパン−１，２−ジオール、カンファー、及びチモールから選択される１種又は２種以上の冷感剤、及び／又は４−バニリルアルキルエーテル、カプサイシン、ノニル酸バニリルアミド、ニコチン酸ベンジル、バニリルブチルエーテル、ショウガオール、ジンゲロール及びジンゲロンから選択される１種又は２種以上の温感剤である、請求項１〜６の何れか１項記載のボディマッサージキット。
【請求項８】
マッサージ剤中における温感剤及び／又は冷感剤の含有量が０．００１〜３質量％である、請求項１〜７の何れか１項記載のボディマッサージキット。
【請求項９】
マッサージ剤中における界面活性剤の含有量が０．１質量％以下である請求項１〜８の何れか１項記載のボディマッサージキット。
【請求項１０】
マッサージ剤中における油性成分の含有量が４０質量％以下である請求項１〜９の何れか１項記載のボディマッサージキット。
【請求項１１】
マッサージ剤が、カルボキシビニルポリマー及び／又はアルキル変性カルボキシビニルポリマーを含有する、請求項１〜１０の何れか１項記載のボディマッサージキット。
【請求項１２】
前記カルボキシビニルポリマー及び／又はアルキル変性カルボキシビニルポリマーの合計の含有量が０．０２〜０．９質量％である、請求項１１記載のボディマッサージキット。
【請求項１３】
開口部を有する板状の基板の一方の面に手のひらを沿わせて手に装着して用いるボディマッサージ具；
及び、
感覚剤を含有し、希釈前の２５℃でのマッサージ剤粘度が５００〜３０００００ｍＰａ・ｓであり、水により２倍に希釈した時には、粘度が低下して２５℃での粘度が５０〜１５０００ｍＰａ・ｓとなるマッサージ剤；
を有するボディマッサージシステムであって、
前記開口部は、前記基板をその表裏に亘って貫通し、開口面積が２〜２４ｃｍ2であり、且つボディマッサージ具を手に装着した際に該手の指股部又は指股部近傍に配置される、ボディマッサージシステム。
【請求項１４】
感覚剤を含有し、希釈前の２５℃での粘度が５００〜３０００００ｍＰａ・ｓであり、水により２倍に希釈した時には、粘度が低下して２５℃での粘度が５０〜１５０００ｍＰａ・ｓとなるマッサージ剤を濡れた肌へ塗布して、開口部を有する板状の基板の一方の面に手のひらを沿わせて手に装着して用いるボディマッサージ具にて、前記マッサージ剤を塗布した肌を把握揉捏して、前記ボディマッサージ剤を濡れた肌と手のひらとの両者へ拡散させる方法であって、
前記開口部は、前記基板をその表裏に亘って貫通し、開口面積が２〜２４ｃｍ2であり、且つボディマッサージ具を手に装着した際に該手の指股部又は指股部近傍に配置される、方法。
【発明の詳細な説明】
【技術分野】
【０００１】
本発明は、感覚剤含有マッサージ剤とボディマッサージ具を有するボディマッサージキット、ボディマッサージシステム、ボディマッサージ剤を濡れた肌と手のひらとの両者へ拡散させる方法、及びボディマッサージ具用のマッサージ剤に関する。
【背景技術】
【０００２】
身体の四肢やその他の部位に対するマッサージ方法として、一般に圧迫法（身体を押すマッサージ方法）、強擦法（身体を擦るマッサージ方法）、揉捏法（身体を揉むマッサージ方法）、軽擦法（身体を撫でるマッサージ方法）、打突法（身体を叩くマッサージ方法）等が知られており、これらは、例えば身体の皮膚に指を押し当てて、圧迫したり、擦り付けたり、揉み解したりすることで、例えば血液の流れを促進して、疲労の回復や予防を図るものである。
【０００３】
これらのマッサージ方法は、手のひらや指先で行われることが多いが、さらに効果的にマッサージを行えるようにすることを目的として、種々のマッサージ具やブラシが開発されている（例えば、特許文献１、特許文献２、特許文献３参照）。
【０００４】
特許文献１のマッサージ具は、少なくとも片手で把持可能な横幅をその短手方向に持った平面略縦長形状の基部を、縦横自在に弾性変形可能な可撓性プレートとして形成し、略球面状先端を持つ複数の突起を、所定の配列をもってこの基部の片面上に一体的に立設することによって、この突起の縦横自在な傾動を確保可能とするとともに、この基部を、その平面上の長手方向で少なくとも２領域に区分し、この２領域のうちの一方に配された突起の高さを、他方の領域に配された突起より高く形成したものである。特許文献２の頭皮頭髪用ブラシは、ブラシ台の表面にブリッスルが設けられたブラシ部を２つ有し、その２つのブラシ部は結合されており、一方の手の指の腹側をブラシ部に対向させたときに、他方のブラシ部がその手の甲側に位置した状態でブラシをその手に保持できる手段を備えていることを特徴とするものである。特許文献３の洗髪・ボディ兼用ブラシは、柔らかい材質のブラシ本体と硬い材質のブラシ本体と連結させる柄で構成されるものである。
【先行技術文献】
【特許文献】
【０００５】
【特許文献１】実用新案登録第３０７６８７８号公報
【特許文献２】特開２００９−１８９６４０号公報
【特許文献３】実用新案登録第３０９８０１１号公報
【特許文献４】特開２００５−８２４８１号公報
【発明の概要】
【発明が解決しようとする課題】
【０００６】
一方、近年、例えばバスルームやシャワールームにおいて入浴時やシャワー時に使用される、マッサージジェルやマッサージオイル等のマッサージ剤が種々上市されている。これらのマッサージ剤は、容器から手のひらにとって、例えば身体の各部位に撫で付けたり擦り付けたり揉み付けたりすることで、マッサージを行ないながら身体の皮膚に沿って塗り広げて用いられる。また、好ましくは塗り広げた後に必要に応じてシャワー水で洗い流すことにより、マッサージ剤に含まれる各種の成分によって、例えばすっきりとした心地よさや、体温を保持する保温効果や、肌をしっとりとさせる保湿効果等が得られることになる。
【０００７】
特に、冷感剤や温感剤等の感覚剤成分が含有されているマッサージ剤の場合、これらの感覚剤含有マッサージ剤による冷感や温感等を、肩や首筋等のマッサージ対象部位のみならず、手のひらにおいても実感しながらマッサージを行うことが実効感を向上させるうえで望ましい。しかしながら、マッサージ具を用いたマッサージでは、手のひらにマッサージ剤が付着する頻度が低下してしまうため手のひらでの感覚剤の実感が困難である。加えて、一般に手のひらは、肩や首筋等の身体の他の部位と比較して、感覚剤成分による冷感や温感等を感じ難い部分である。従って、感覚剤含有マッサージ剤による冷感や温感等の効果を、手のひらにおいても実感しながらマッサージ具を用いてマッサージを行うには工夫が必要である。
特許文献４には、角栓除去効果を有するマッサージ用油性化粧料を、シリコーンラバーのマッサージ具に塗布して使用することができることが記載されている。
【０００８】
本発明は、手のひらにとったり身体に塗布した感覚剤含有マッサージ剤を、マッサージ具を用いてマッサージを行いながら身体の皮膚に沿って容易に且つスムーズに塗り広げてゆくことができると共に、感覚剤成分による冷感や温感等を、手のひらにおいても実感しながらマッサージ具を用いてマッサージを行うことのできる、感覚剤含有マッサージ剤とマッサージ具を有するボディマッサージキット、ボディマッサージシステム、ボディマッサージ剤を濡れた肌と手のひらとの両者へ拡散させる方法、及びボディマッサージ具用のマッサージ剤を提供することに関する。
【課題を解決するための手段】
【０００９】
本願発明者らは、手のひらは、感覚剤成分による冷感や温感等を感じ難い部分である一方で、肩や首筋等は感覚剤成分による冷感や温感等を非常に感じ易い部分であることを知見した。また、身体の離れた２点に温感刺激を付与すると、その中間地点において、実刺激によらない温感刺激感覚が生じ、その温感刺激感覚の位置は２点の温感刺激の強度差により位置変化することも知られている。これらの知見に基づいて、本願発明者らは、肩や首筋等にマッサージ剤を塗布してボディマッサージ具を用いてマッサージを行うと共に、マッサージを行う手のひらにも感覚剤成分を積極的に誘導させることで、感覚剤成分による冷感や温感等を手のひらにて実感しながらマッサージを行うことができ、その結果、身体のより広い範囲にわたって冷感や温感等の感覚を得ることができる、ボディマッサージキット、ボディマッサージシステム、ボディマッサージ剤を濡れた肌と手のひらとの両者へ拡散させる方法、及びボディマッサージ具用のマッサージ剤を提供するに至った。
【００１０】
すなわち、本発明は、開口部を有する板状の基板の一方の面に手のひらを沿わせて手に装着して用いるボディマッサージ具；及び、感覚剤を含有し、希釈前の２５℃での粘度が５００〜３０００００ｍＰａ・ｓであり、水により２倍に希釈した時には２５℃での粘度が５０〜１５０００ｍＰａ・ｓとなるマッサージ剤；を有するボディマッサージキットを提供するものである。
更に、本発明は、開口部を有する板状の基板の一方の面に手のひらを沿わせて手に装着して用いるボディマッサージ具；及び、感覚剤を含有し、希釈前の２５℃での粘度が５００〜３０００００ｍＰａ・ｓであり、水により２倍に希釈した時には２５℃での粘度が５０〜１５０００ｍＰａ・ｓとなるマッサージ剤；を有するボディマッサージシステムを提供するものである。
【００１１】
また更に、本発明は、感覚剤を含有し、希釈前の２５℃での粘度が５００〜３０００００ｍＰａ・ｓであり、水により２倍に希釈した時には２５℃での粘度が５０〜１５０００ｍＰａ・ｓとなるマッサージ剤を濡れた肌へ塗布して、開口部を有する板状の基板の一方の面に手のひらを沿わせて手に装着して用いるボディマッサージ具にて、前記マッサージ剤を塗布した肌を把握揉捏して、前記ボディマッサージ剤を濡れた肌と手のひらとの両者へ拡散させる方法を提供するものである。
また更に、本発明は、感覚剤を含有し、希釈前の２５℃での粘度が５００〜３０００００ｍＰａ・ｓであり、水により２倍に希釈した時には２５℃での粘度が５０〜１５０００ｍＰａ・ｓとなる、開口部を有する板状の基板の一方の面に手のひらを沿わせて手に装着して用いるボディマッサージ具用のマッサージ剤を提供するものである。
【発明の効果】
【００１２】
本発明のボディマッサージキット、ボディマッサージシステム、ボディマッサージ剤を濡れた肌と手のひらとの両者へ拡散させる方法、及びボディマッサージ具用のマッサージ剤によれば、手のひらにとったり身体に塗布した感覚剤含有マッサージ剤を、ボディマッサージ具を用いてマッサージを行いながら身体の皮膚に沿って容易に且つスムーズに塗り広げてゆくことができる。
また、濡れた肌に塗布されたマッサージ剤が、肌上の水で希釈されてボディマッサージ具の開口部を通って手のひらへ良好に広がるため、肩や首筋等のマッサージ対象部位にマッサージ剤を塗布してボディマッサージ具を用いてマッサージを行うことにより、マッサージを行う手のひらにも感覚剤成分を積極的に誘導させることができ、感覚剤成分による冷感や温感等を手のひらにて実感しながらマッサージを行うことができる。その結果、肩首等のマッサージ対象部位と手のひらの２箇所への感覚付与より、身体のより広い範囲にわたって冷感や温感を得ることができる。しかも、マッサージ剤が、肌上の水で良好に希釈されて、ムラのない状態で、マッサージ対象部位および手のひらに接触するため、ムラ付着による刺激性も低い。
更に、マッサージ剤が開口部を介して手のひら側と身体側との間を行き来することで、手のひらの感覚で容易にマッサージ剤を、適切な部位に適切な量を調整して塗り広げることができると同時に、対象部位と手のひらの両方で感覚成分による冷感や温感等を感じることができる。
【図面の簡単な説明】
【００１３】
【図１】本発明の好ましい一実施形態に係るボディマッサージ具を手に装着した状態で示す斜視図である。
【図２】本発明の好ましい一実施形態に係るボディマッサージ具の側面図である。
【図３】本発明の好ましい一実施形態に係るボディマッサージ具の図２を右側から見た正面図である。
【図４】図２のＡ−Ａに沿った端面図である。
【図５】本発明の好ましい一実施形態に係るボディマッサージ具の底面図である。
【図６】本発明の好ましい一実施形態に係るボディマッサージ具の上面図である。
【図７】（ａ）〜（ｅ）は、突起の先端の他の形態を例示するボディマッサージ具の突起の先端の斜視図である。
【図８】（ａ）〜（ｄ）は、位置決め手段の他の形態を例示するボディマッサージ具の上面図である。
【発明を実施するための形態】
【００１４】
図１に示すボディマッサージ具１０は、特定の物性を有する感覚剤含有マッサージ剤との組み合わせにおいて、本発明のボディマッサージキットの好ましい実施形態又は本発明のボディマッサージシステムの好ましい実施形態の要素を構成する。また、ボディマッサージ具１０は、本発明の、ボディマッサージ剤を濡れた肌と手のひらとの両者へ拡散させる方法に好ましく用いられると共に、本発明のボディマッサージ具用のマッサージ剤を用いたボディマッサージにも好ましく用いられる。
【００１５】
本発明に用いる前記特定の物性を有する感覚剤含有マッサージ剤は、感覚剤を含有し、２５℃での粘度（希釈前の粘度）が５００〜３０００００ｍＰａ・ｓであり、水により２倍（質量基準で２倍）に希釈した時には２５℃での粘度が５０〜１５０００ｍＰａ・ｓとなるものであり、詳細については後述する。
【００１６】
図１に示すボディマッサージ具１０は、図１に示すように手に装着して用いられ、例えば、肩や首筋等のマッサージ対象部位に付けたマッサージ剤を、該マッサージ対象部位に撫で付けたり、擦り付けたり、揉み付けたりすることで、マッサージ剤を身体の皮膚に沿ってスムーズに塗り広げながら、身体のマッサージを行える機能を備える。
ボディマッサージ具１０は、図１に示すように、開口部１４を有する板状の基板１１の一方の面１１ａに手のひらを沿わせて手に装着して用いる。
マッサージ対象部位にマッサージ剤を付ける方法としては、マッサージ剤を、一旦手のひらにとり、その手にボディマッサージ具を装着することなく、その手のひらでマッサージ対象部位に付着させる方法が好ましい。この場合、マッサージ対象部位に付着させたマッサージ剤を、マッサージ剤をとった手あるいは反対側の手に装着したボディマッサージ具により、マッサージしながら塗り拡げる。マッサージ剤は、例えば、手動式の吐出機構を備えた容器等に収容しておき、手のひら等に吐出させることが好ましい。マッサージ対象部位にマッサージ剤を付ける方法としては、上記の方法に制限されず、容器等から吐出させたマッサージ剤を直接、マッサージ対象部位に付着させても良いし、マッサージ剤を手のひらにとり、その手のひらに基板１１を沿わせるようにボディマッサージ具１０を装着した後、開口部１４を通してマッサージ剤をマッサージ対象部位に移行させても良い。
【００１７】
図１に示すボディマッサージ具１０と感覚剤含有マッサージ剤を含む本実施形態のボディマッサージキット又はボディマッサージシステムによれば、感覚剤含有マッサージ剤の希釈前の２５℃での粘度が５００〜３０００００ｍＰａ・ｓと適度な粘度であるため、液垂れすることなく手のひらに取ることができ、また、感覚剤含有マッサージ剤を、肩や首筋等のマッサージ対象部位に付けて、ボディマッサージ具１０でマッサージ対象部位に、撫で付けたり、擦り付けたり、揉み付けたりすることで、マッサージ対象部位ならびに手のひらにムラなく良好に塗布することが可能であるためムラ付着による刺激も防止される。
更に、感覚剤含有マッサージ剤は、水により２倍に希釈された時には２５℃での粘度が５０〜１５０００ｍＰａ・ｓとなるため、濡れ肌の水で希釈され、ボディマッサージ具１０にてマッサージを行うことで、ボディマッサージ具の開口部から手のひらへマッサージ剤が良好に広がり、感覚剤成分による冷感や温感等を手のひらにて実感しながらマッサージを行うことができる。その結果、冷感剤や温感剤等の感覚剤成分が含有されている感覚剤含有マッサージ剤を身体の皮膚に沿ってスムーズに塗り広げながら、身体のマッサージを行うことができる。加えて、肩や首筋等にマッサージ剤を塗布してボディマッサージ具を用いてマッサージを行うと共に、マッサージを行う手のひらにも感覚剤成分を積極的に誘導させることで、感覚剤成分による冷感や温感等を手のひらにて実感しながらマッサージを行うことができ、その結果、身体のより広い範囲にわたって温感や冷感を得ることができる。更に、マッサージ剤が開口部を介して手のひら側と身体側との間を行き来することで、手のひらの感覚で容易にマッサージ剤を、適切な部位に適切な量を調整して塗り広げることができる。
【００１８】
本実施形態におけるボディマッサージ具１０は、開口部１４を有する板状の基板１１の一方の面１１ａに手のひらを沿わせて手に装着して用いるものである。感覚剤成分による冷感や温感等をボディマッサージ具の装着された手のひらにて実感しながらマッサージを行えるようにする機能を備える。更に、本実施形態のボディマッサージ具１０は、マッサージ剤が開口部１４を介して手のひら側と身体側との間を行き来することで、手のひらの感覚で容易にマッサージ剤を、適切な部位に適切な量を調整して塗り広げる機能を備える。
【００１９】
また、本実施形態のボディマッサージ具１０は、図２〜図６にも示すように、開口部１４を有する板状の基板１１と、この基板の一方の面１１ａに手のひらを沿わせて手に装着した際に、開口部１４が指股部又は指股部近傍に配置されるように手を位置決めさせる位置決め手段１５とを備える。
【００２０】
また、本実施形態では、基板１１は、手のひらサイズの大きさ及び形状を備えている。また、本実施形態では、開口部１４は、手のひらからはみ出ない大きさに形成されている。なお、本発明において手のひらとは、指部分も含む手首より先の全体部分のうち手の甲側と反対側全体を意味する。
【００２１】
さらに、本実施形態では、位置決め手段１５は、開口部１４の近傍部分において基板１１の一方の面１１ａから突出して設けられた指股挟込み把持部１２からなり、好ましくは人差し指と中指との間の指股部によって指股挟込み把持部１２を挟み込むことで、開口部１４が指股部又は指股部近傍に配置されるようになっている。
【００２２】
位置決め手段１５により、基板１１の一方の面１１ａに手のひらを沿わせて手に装着した際に、開口部１４が指股部又は指股部近傍に配置されることになるので、流通開口としての開口部１４を介して、指股部の特に付根部分に感覚剤含有マッサージ剤を積極的に誘導させて接触させることが可能になって、感覚剤成分による冷感や温感等をより強く実感しながらマッサージを行うことが可能になる。
【００２３】
また、位置決め手段１５が指股挟込み把持部１２であることにより、指股が広げられるため、感覚剤含有マッサージ剤が手のひらの中で最も感覚剤成分による温感や冷感等を感じやすい指股部、中でも特に感じやすい部分である人差し指と中指との間の指股部や中指と薬指との間の指股部の付け根まで良好に行き渡り、これによって感覚剤を手の指股部にてより効果的に実感することが可能となる。
【００２４】
さらに、本実施形態では、指股挟込み把持部１２が、扁平な縦長の断面形状を備える板状部分１６を有する（図２〜図４参照）。ここにおいて、縦長とは、扁平な断面形状の長手方向を縦方向とし、その長さが横方向の長さより長いことを言う。
【００２５】
さらにまた、本実施形態では、基板１１の他方の面１１ｂに、感覚剤含有マッサージ剤が指股部の付け根まで良好に行き渡ることを阻害しない程度に低い高さとして、具体的には２０ｍｍ程度以下の高さの複数の突起１３が分散配置されている。
【００２６】
本実施形態では、ボディマッサージ具１０は、手の握力により変形可能な弾性樹脂として、例えばスチレン樹脂、ポリエステル樹脂、オレフィン樹脂、ウレタン樹脂等のエラストマー樹脂や、合成ゴム等を用いて、好ましくは基板１１と、指股挟込み把持部１２と、複数の突起１３とを一体成形することにより形成されている。これによって基板１１は、手の握力によって変形可能な柔軟な弾性樹脂からなる。基板１１が、手の握力によって変形可能な柔軟な弾性樹脂からなっていることにより、基板１１に形成された開口部１４と相俟って、基板１１を手のひらや手のひらの指の動きに合わせてスムーズに弾性変形させることが可能になるのみならず、マッサージ対象部位の形状に柔軟にフィットすることで、水により２倍に希釈した時には２５℃での粘度が５０〜１５０００ｍＰａ・ｓとなる感覚剤含有マッサージ剤が対象部位からマッサージ具の開口部を介して手のひらへ移行しやすくなる。さらに、基板１１が手のひらにもフィットすることで、水により２倍に希釈した時には２５℃での粘度が５０〜１５０００ｍＰａ・ｓとなる感覚剤含有マッサージ剤が、手のひらから外側にはみ出ることを防止して手のひらにとどまりやすい。
【００２７】
ここで、基板１１を構成する弾性樹脂は、手の握力によって容易に弾性変形できる程度の弾力性を備える弾性樹脂であり、ゴム硬度（ショアＡ硬度、株式会社テクロック製のゴム硬度計（ＧＳ７０９Ｎ  形式Ａ）ＡＳＴＭ  Ｄ２２４０Ａ  ０−１００（ショアＡ硬度）に準拠して測定された数値）が３０〜８０の物性を備える弾性材料であることが好ましい。また、基板１１を構成する弾性樹脂は、同硬度が３５〜７５の弾力性を備えていることが好ましく、４０〜７０の弾力性を備えていることが更に好ましい。
【００２８】
本実施形態では、基板１１は、好ましくは成人女性の手のひらに略収まり手の握力により変形し得る程度の、いわゆる手のひらサイズの大きさ及び形状として、例えば縦幅が１００〜１６０ｍｍの大きさ、好ましくは１０５〜１５５ｍｍの大きさ、更に好ましくは１１０〜１５０ｍｍの大きさであり、横幅が６５〜１０５ｍｍの大きさ、好ましくは７０〜１００ｍｍの大きさ、更に好ましくは７５〜９５ｍｍの大きさであるうち縦長の平面形状を備えるように形成される。基板１１が、手のひらに略収まる程度の手のひらサイズの大きさ及び形状を備えていることにより、水により２倍に希釈した時には２５℃での粘度が５０〜１５０００ｍＰａ・ｓとなる感覚剤含有マッサージ剤が、手のひらから外側にはみ出ることを防止して手のひらにとどまりやすい。また、基板１１は、好ましくは周縁部が周縁肉厚部２０（図５参照）となった、例えば１〜６ｍｍの厚さ、好ましくは１．５〜４ｍｍの厚さ、更に好ましくは２〜３ｍｍの厚さの平板形状に形成される。なお、周縁肉厚部２０の幅は、２〜８ｍｍが好ましく、更に好ましくは３〜６ｍｍであり、殊更好ましくは３．５〜４．５ｍｍである。周縁肉厚部２０の最大厚みは、基板１１の平板部分の厚みに対して、１．１〜３倍の厚さ、好ましくは１．２〜２．５倍の厚さ、殊更好ましくは１．３〜２倍の厚さである。このような周縁肉厚部２０の幅や厚みであると、補強の点や、使い心地の点や、弾性変形の点で好ましいのみならず、基板１１が手のひらにもフィットすることで、水により２倍に希釈した時には２５℃での粘度が５０〜１５０００ｍＰａ・ｓとなる感覚剤含有マッサージ剤が手のひらから外側にはみ出ることを防止して手のひらにとどまりやすい。
【００２９】
基板１１には、位置決め手段１５としての指股挟込み把持部１２を好ましくは人指し指と中指との間の指股部に挟み込んで、当該基板１１を手のひらに沿わせてボディマッサージ具１０を手に装着した際に、当該基板１１の縦長方向の手首側に配置される後端外周縁部１１ｃに、円弧形状の縁取り部が形成されていると共に、人さし指や中指や薬指の先端部が配置される先端外周縁部１１ｄに、凹凸形状の縁取り部が形成されている。この凹凸は、隣り合う凹部の間の長さが１５〜３０ｍｍであることが好ましい。基板１１の先端外周縁部１１ｄにこのような凹凸形状の縁取り部が形成されていることにより、例えば軽擦法や強擦法や揉捏法によるマッサージを行う際に、人さし指や中指や薬指を、マッサージを行う部位に添えやすくなり、その結果、より確実に開口部１４が指股部又は指股部近傍に配置される。これによって感覚剤を手の指股部にて実感するようになると共に、マッサージ剤が開口部を介して手のひら側と身体側との間を行き来することで、手のひらの感覚で容易にマッサージ剤を、適切な部位に適切な量で塗り広げることができる。更に、基板１１の先端外周縁部１１ｄに凹凸形状の縁取り部が形成されていることにより、マッサージを行う際に、人さし指や中指や薬指を、マッサージを行う部位に適度に間隔を開けて添えやすくなるため、水により２倍に希釈した時には２５℃での粘度が５０〜１５０００ｍＰａ・ｓとなる感覚剤含有マッサージ剤が指股の付け根まで良好に行き渡り、これによって感覚剤を手の指股部にてより効果的に実感することが可能となる。
【００３０】
また、基板１１には、位置決め手段１５としての指股挟込み把持部１２を好ましくは人指し指と中指との間の指股部に挟み込んで、当該基板１１の一方の面１１ａに手のひらに沿わせてボディマッサージ具１０を手に装着した際に、親指及び小指に沿って配置される当該基板１１の少なくとも一方側の側縁部１１ｅに、凹状にくぼんだくびれ部が形成されている。基板１１の少なくとも一方側の側縁部１１ｅに凹状にくぼんだくびれ部が形成されていることにより、例えば軽擦法や強擦法や揉捏法によるマッサージを行う際に、親指や小指を、マッサージを行う部位に添えやすくなり、その結果、より確実に開口部１４が指股部又は指股部近傍に配置される。これによって感覚剤を手の指股部にて実感するようになると共に、水により２倍に希釈した時には２５℃での粘度が５０〜１５０００ｍＰａ・ｓとなる感覚剤含有マッサージ剤が開口部を介して手のひら側と身体側との間を行き来することで、手のひらの感覚で容易にマッサージ剤を、適切な部位に適切な量を塗り広げることができる。特に好ましくは、基板１１の両側の側縁部１１ｅに、凹状にくぼんだくびれ部が各々形成されている。基板１１の両側の側縁部１１ｅに、凹状にくぼんだくびれ部が各々形成されていることにより、例えば揉捏法によるマッサージを行う際に、マッサージを行う身体の所定の部位に親指及び小指を添えやすくなり、その結果、より確実に開口部１４が指股部又は指股部近傍に配置される。これによって感覚剤を手の指股部にて実感するようになると共に、水により２倍に希釈した時には２５℃での粘度が５０〜１５０００ｍＰａ・ｓとなる感覚剤含有マッサージ剤が開口部を介して手のひら側と身体側との間を行き来することで、手のひらの感覚で容易にマッサージ剤を、適切な部位に適切な量で塗り広げることができる。
【００３１】
本実施形態では、指股挟込み把持部１２の近傍に、当該基板１１を表裏に亘って貫通する開口部１４が形成されている。指股挟込み把持部１２の近傍に開口部１４が形成されていることにより、水により２倍に希釈した時には２５℃での粘度が５０〜１５０００ｍＰａ・ｓとなる感覚剤含有マッサージ剤が、対象部位から開口部１４を介して指股の付け根まで良好に行き渡り、これによって、感覚剤を手の指股部で効果的に実感することが可能となる。開口部１４は、基板１１の中央領域に形成されていると好ましく、特に、指股挟込み把持部１２に回り込む形状が好ましい。中でも、指股挟込み把持部１２の側面の少なくとも一方に延びた形状が好ましく、具体的には例えば略ハート形状や略凹形状や略ビーンズ形状を備えていることが、屈曲性の点と、手のひらにとった感覚剤含有マッサージ剤が指股部へ良好に入り込み、感覚剤の感覚を効率的に手のひらにて実感しながらマッサージを行うことができる点で好ましい。開口部１４は、点状の孔や線状のスリットとは異なり、縦横に相当の大きさの開口幅を有する開口穴として形成されている。開口部１４が上述のような形態にて形成されていることにより、当該開口部１４を中心として、扁平な縦長の断面形状を備える指股挟込み把持部１２の縦長方向と垂直又は略垂直に交差する方向のみならず、指股挟込み把持部１２の縦長方向と交差する任意の方向を屈曲谷線Ｘ（図１参照）の方向として、基板１１を屈曲させることが可能となる。その結果、例えば揉捏法によるマッサージを行う際に、種々の立体形状を備える身体の各部位の形状に沿わせて基板１１を屈曲させながら、揉捏法によるマッサージをさらに効果的に行うことが可能になる。加えて、水により２倍に希釈した時には２５℃での粘度が５０〜１５０００ｍＰａ・ｓとなる感覚剤含有マッサージ剤が、マッサージ対象部位から開口部を介して指股の付け根まで良好に行き渡り、これによって、感覚剤を手の指股部で効果的に実感することが可能となる。開口部１４は、本実施形態では、基板１１の中央領域に形成されており、且つ略ハート形状を備えている。
【００３２】
また、本実施形態では、開口部１４は、当該開口部１４を２等分割する線分（基板１１の長手方向に直交し且つ開口部の面積を２等分する線分）に沿った断面において、当該開口部１４の開口幅が基板１１の幅に対して２０〜７０％の幅となるように基板１１に形成されていることが好ましい。開口部１４の開口幅が基板１１の幅に対して２０〜７０％の幅となっていることにより、手のひらにとったり身体に塗布したマッサージ剤を、マッサージを行いながら身体の皮膚に沿って容易に且つスムーズに塗り広げてゆくことができると共に、感覚剤成分による冷感や温感等を手に実感しながらマッサージを行うことが可能になる。開口部１４の開口幅が基板１１の幅に対して上述のとおりの適切な大きさであれば、開口部１４が形成されていない部分の幅を相当程度確保して、基板１１の曲げに対する剛性が小さくなり過ぎることでマッサージ中に基板１１がよれてしまったり、水により２倍に希釈した時には２５℃での粘度が５０〜１５０００ｍＰａ・ｓとなる感覚剤含有マッサージ剤が手のひらからはみ出てしまうといった不具合が生じるのを効果的に回避することが可能になる。また、基板１１の曲げに対する剛性が大き過ぎず、適度に確保できることから、手のひらに適度にフィットすることで、水により２倍に希釈した時には２５℃での粘度が５０〜１５０００ｍＰａ・ｓとなる感覚剤含有マッサージ剤が、手のひらから外側にはみ出ることなく手のひらにとどまりやすい。さらに、基板１１の曲げに対する剛性が大き過ぎず、適度に確保できることから、対象部位の形状に柔軟にフィットすることで、水により２倍に希釈した時には２５℃での粘度が５０〜１５０００ｍＰａ・ｓとなる感覚剤含有マッサージ剤が、対象部位から開口部を介して指股の付け根まで良好に行き渡り、これによって、感覚剤を手の指股部で効果的に実感することが可能となる。
【００３３】
さらに、本実施形態では、開口部１４は、開口面積が２〜２４ｃｍ2であることが好ましい。開口面積が２〜２４ｃｍ2となるように開口部１４が形成されていることにより、手のひらにとったり身体に塗布した感覚剤含有マッサージ剤を、マッサージを行いながら身体の皮膚に沿って容易に且つスムーズに塗り広げてゆくことができると共に、感覚剤成分による冷感や温感等を手のひらにて実感しながらマッサージを行うことが可能になる。開口部１４の開口面積が上述のとおりの適切な大きさであれば、基板１１の変形に対する剛性が小さくなり過ぎることでマッサージ中に基板１１がよれてしまったり、水により２倍に希釈した時には２５℃での粘度が５０〜１５０００ｍＰａ・ｓとなる感覚剤含有マッサージ剤が手のひらからはみ出てしまうといった不具合が生じるのを効果的に回避することが可能になる。また、基板１１の曲げに対する剛性が大き過ぎず、適度に確保できることから、手のひらに適度にフィットすることで、水により２倍に希釈した時には２５℃での粘度が５０〜１５０００ｍＰａ・ｓとなる感覚剤含有マッサージ剤が、手のひらから外側にはみ出ることなく手のひらにとどまりやすい。さらに、基板１１の曲げに対する剛性が大き過ぎず、適度に確保できることから、対象部位の形状に柔軟にフィットすることで、水により２倍に希釈した時には２５℃での粘度が５０〜１５０００ｍＰａ・ｓとなる感覚剤含有マッサージ剤が、対象部位から開口部を介して指股の付け根まで良好に行き渡り、これによって、感覚剤を手の指股部で効果的に実感することが可能となる。
【００３４】
さらに、本実施形態では、開口部１４の開口面積（ｃｍ2）の値と、マッサージ剤の水により２倍に希釈した時の２５℃での粘度（ｍＰａ・ｓ）の値との比率［マッサージ剤の水により２倍に希釈した時の２５℃での粘度（ｍＰａ・ｓ）：開口面積（ｃｍ2）］が、好ましくは１：１〜１００００：１であり、より好ましくは５：１〜５０００：１であり、さらに好ましくは１０：１〜１０００：１であることにより、２倍に希釈した時には２５℃での粘度が５０〜１５０００ｍＰａ・ｓとなる感覚剤含有マッサージ剤が、対象部位から開口部を介して指股の付け根まで良好に行き渡り、これによって、感覚剤を手の指股部で効果的に実感することが可能となるため好ましい。
【００３５】
さらに、本実施形態では、開口部１４は、開口面積が基板面積の２〜２５％であることが好ましい。開口面積が基板面積の２〜２５％であることにより、手のひらにとったり身体に塗布した感覚剤含有マッサージ剤を、マッサージを行いながら身体の皮膚に沿って容易に且つスムーズに塗り広げてゆくことができると共に、感覚剤成分による冷感や温感等を手のひらにて実感しながらマッサージを行うことが可能になる。開口部１４の開口面積が上述のとおりの適切な大きさであれば、基板１１の変形に対する剛性が小さくなり過ぎることでマッサージ中に基板１１がよれてしまったり、水により２倍に希釈した時には２５℃での粘度が５０〜１５０００ｍＰａ・ｓとなる感覚剤含有マッサージ剤が手のひらからはみ出てしまうといった不具合が生じるのを効果的に回避することが可能になる。また、基板１１の曲げに対する剛性が大き過ぎず、適度に確保できることから、手のひらに適度にフィットすることで、水により２倍に希釈した時には２５℃での粘度が５０〜１５０００ｍＰａ・ｓとなる感覚剤含有マッサージ剤が、手のひらから外側にはみ出ることなく手のひらにとどまりやすい。さらに、基板１１の曲げに対する剛性が大き過ぎず、適度に確保できることから、対象部位の形状に柔軟にフィットすることで、水により２倍に希釈した時には２５℃での粘度が５０〜１５０００ｍＰａ・ｓとなる感覚剤含有マッサージ剤が、対象部位から開口部を介して指股の付け根まで良好に行き渡り、これによって、感覚剤を手の指股部で効果的に実感することが可能となる。
【００３６】
また、本実施形態では、開口部１４は、手のひらからはみ出ない大きさに形成されている。さらに、本実施形態では、開口部１４は、最大でも人指し指、中指、及び薬指の第１関節から親指の付け根までの大きさである。
【００３７】
開口部１４が手のひらからはみ出ない大きさに形成されていることにより、マッサージ剤が開口部１４を介して手のひら側と身体側との間を行き来することで、手のひらの感覚でさらに容易にマッサージ剤を、適切な部位に適切な量で塗り広げることができる。加えて、水により２倍に希釈した時には２５℃での粘度が５０〜１５０００ｍＰａ・ｓとなる感覚剤含有マッサージ剤が、対象部位から開口部を介して指股の付け根まで良好に行き渡り、これによって、感覚剤を手の指股部で効果的に実感することが可能となる。また、開口部１４が最大でも人指し指、中指、及び薬指の第１関節から親指の付け根までの大きさであることにより、より確実に開口部１４が指股部又は指股部近傍に配置されるため、感覚剤を手の指股部にてより効果的に実感することが可能になる。
【００３８】
本実施形態では、基板１１の指股挟込み把持部１２が起立する一方の面１１ａに、滑止めの機能を奏する表面リブ１７が設けられている。本実施形態では、表面リブ１７は、扁平な縦長の断面形状を備える指股挟込み把持部１２の縦長方向と垂直な方向に延設する線状リブとして、基板１１の一方の面１１ａの略全域に亘って、指股挟込み把持部１２の縦長方向に所定の間隔をおいて複数本平行に配置されて設けられている。基板１１の一方の面１１ａに滑止めの機能を奏する表面リブ１７が設けられていることにより、例えば揉捏法によるマッサージを行う際に、より滑りにくくなることから、手のひらの面１１ａに対するフィット性が向上し、揉捏法によるマッサージをさらに効果的に行うことが可能になる。その結果、より確実に開口部１４が指股部又は指股部近傍に配置されるため、感覚剤を手の指股部にてより効果的に実感するようになると共に、マッサージ剤が開口部を介して手のひら側と身体側との間を行き来することで、手のひらの感覚でさらに容易にマッサージ剤を、適切な部位に適切な量で塗り広げることができる。加えて、水により２倍に希釈した時には２５℃での粘度が５０〜１５０００ｍＰａ・ｓとなる感覚剤含有マッサージ剤が、対象部位から開口部を介して指股の付け根まで良好に行き渡り、これによって、感覚剤を手の指股部で効果的に実感することが可能となる。
【００３９】
基板１１の一方の面に起立して設けられた指股挟込み把持部１２は、本実施形態では、扁平な縦長の断面形状を備える板状部分１６を有している。指股挟込み把持部１２が、扁平な縦長の断面形状を備える板状部分１６を有していることにより、当該指股挟込み把持部１２を、例えば、人指し指と中指との間の指股部に添わせるようにして挟み込むことが可能になって、ボディマッサージ具１０をより安定した状態で手に装着させることが可能になる。その結果、より確実に開口部１４が指股部又は指股部近傍に配置されるため、感覚剤を手の指股部にてより効果的に実感するようになると共に、マッサージ剤が開口部を介して手のひら側と身体側との間を行き来することで、手のひらの感覚でさらに容易にマッサージ剤を、適切な部位に適切な量で塗り広げることができる。なお、扁平な縦長の断面形状を備える板状部分１６の断面形状の横幅は、２〜１４ｍｍが好ましい。このような幅にすることにより、指股が適度に広げられるため、水により２倍に希釈した時には２５℃での粘度が５０〜１５０００ｍＰａ・ｓとなる感覚剤含有マッサージ剤が指股部の付け根まで良好に行き渡り、これによって感覚剤を手の指股部にてより効果的に実感することが可能となる。
【００４０】
また板状部分１６を有している指股挟込み把持部１２は、開口部１４が回り込む形状になっていると好ましい。すなわち、本実施形態では、指股挟込み把持部１２は、扁平な縦長の断面形状における基板１１の後端縁部１１ｃ側の基端部１２ａを、基板１１の中央領域に形成された開口部１４の略ハート形状のくびれ部分に近接配置して設けられている。また指股挟込み把持部１２は、基板１１の中央領域から先端外周縁部１１ｄに向けて、好ましくは人さし指と中指との間の指股部の付根からこれらの指の第１関節に到る長さよりも短い長さで延設して、開口部１４よりも基板１１の先端外周縁部１１ｄ側の領域に設けられている。指股挟込み把持部１２に、開口部１４が回り込む形状になっていることにより、具体的には、本実施形態では、指股挟込み把持部１２の基板１１の後端外周縁部１１ｃ側の基端部１２ａが、開口部１４に近接して配置されることにより、揉捏法によるマッサージを行う際に、基板１１を容易に屈曲させることができるので、揉捏法によるマッサージを効果的に行うことが可能になる。板状部分１６を有している指股挟込み把持部１２が、人さし指と中指との間の指股部の付根からこれらの指の第１関節に到る長さよりも短い長さで延設して設けられていることにより、これらの指を第１関節の部分で下方に折り曲げやすくなって、水により２倍に希釈した時には２５℃での粘度が５０〜１５０００ｍＰａ・ｓとなる感覚剤含有マッサージ剤が、対象部位から開口部を介して指股の付け根まで良好に行き渡り、これによって、感覚剤を手の指股部で効果的に実感することが可能となる。
【００４１】
さらに、本実施形態では、板状部分１６を有している指股挟込み把持部１２の側面１２ｂが、図４に示すように、内方向凹状に形成されている。すなわち、板状部分１６を有している指股挟込み把持部１２の側面１２ｂは、好ましくは板状部分１６の縦長方向の中央部分で、横幅が最大横幅の９０％〜４０％に狭められた、特に好ましくは緩やかに湾曲する凹状に形成されている。指股挟込み把持部１２の側面１２ｂが内方向凹状となっていることにより、例えば、指股挟込み把持部１２を人指し指と中指との間の指股部に挟み込んで、当該基板１１を手のひらに沿わせてボディマッサージ具１０を手に装着する際に、人差し指と中指の第２関節の出っ張り部分が側面１２ｂの凹状部分にフィットすることで、より確実に開口部１４が指股部又は指股部近傍に配置されるため、感覚剤を手の指股部にてより効果的に実感するようになると共に、マッサージ剤が開口部を介して手のひら側と身体側との間を行き来することで、手のひらの感覚でさらに容易にマッサージ剤を、適切な部位に適切な量で塗り広げることができる。
【００４２】
さらにまた、本実施形態では、板状部分１６を有している指股挟込み把持部１２の側面１２ｂに、図２及び図４に示すように、滑止めの機能を奏する側面リブ１８が設けられている。本実施形態では、側面リブ１８は、基板１１と垂直な縦方向に延設する線状リブとして、横方向に所定の間隔をおいて複数本平行に配置されて設けられている。指股挟込み把持部１２の側面に、滑止めの機能を奏する側面リブ１８が設けられていることにより、より滑りにくくなることから、指股挟込み把持部１２に対する人差し指と中指の保持性が向上するので、より安定した状態でマッサージを行えるようにすることが可能になる。その結果、より確実に開口部１４が指股部又は指股部近傍に配置されるため、感覚剤を手の指股部にてより効果的に実感するようになると共に、マッサージ剤が開口部を介して手のひら側と身体側との間を行き来することで、手のひらの感覚でさらに容易にマッサージ剤を、適切な部位に適切な量で塗り広げることができる。
【００４３】
本実施形態では、図２及び図３に示すように、指股挟込み把持部１２の上端部から外方に張り出して、指掛けつば部１９が設けられている。指掛けつば部１９が設けられていることにより、例えば、指股挟込み把持部１２を人指し指と中指との間の指股部に挟み込んで、当該基板１１を手のひらに沿わせてボディマッサージ具１０を手に装着して行なう身体の各部位へのマッサージ中に、人さし指及び中指の背側を当該指掛けつば部１９に係止させることが可能になる。これによって、例えば基板１１を曲折変形させながら揉捏法によるマッサージを行う際に、指股部が指股挟込み把持部１２から抜け出ないようにして、より安定した状態でマッサージを行えるようにすることが可能になる。その結果、より確実に開口部１４が指股部又は指股部近傍に配置されるため、感覚剤を手の指股部にてより効果的に実感するようになると共に、マッサージ剤が開口部を介して手のひら側と身体側との間を行き来することで、手のひらの感覚でさらに容易にマッサージ剤を、適切な部位に適切な量で塗り広げることができる。指股挟込み把持部１２の高さ、すなわち、指股挟込み把持部１２の基端部１２ａから指掛けつば部１９のつば下までの高さは、例えば、指股挟込み把持部１２を人指し指と中指との間の指股部に挟み込んで、当該基板１１を手のひらに沿わせてボディマッサージ具１０を手に装着した際に、フィット性を向上させると共に保持性を向上させる点から、略指の太さに等しいことが好ましく、具体的には１８〜２４ｍｍが好ましく、更に好ましくは１９〜２３ｍｍであり、殊更好ましくは２０〜２２ｍｍである。これによって、より安定した状態で良好にマッサージを行うことが可能になり、また感覚剤を手の指股部にてより確実に実感することが可能になる。
【００４４】
基板１１の他方の面１１ｂから突出して設けられた複数の突起１３は、図１及び図５にも示すように、本実施形態では、基板１１の他方の面１１ｂの全体に亘って略均等に分散配置されると共に、基板１１の他方の面１１ｂから、好ましくは２０ｍｍ以下の高さ、更に好ましくは３〜２０ｍｍの高さ、また更に好ましくは４〜１８ｍｍの高さ、殊更好ましくは５〜１５ｍｍの高さで突出して設けられている。これらの突起１３は、身体のツボを刺激したり、皮膚を刺激したり、皮膚を圧迫（指圧）したり、毛穴を刺激したりする機能を備える。
複数の突起１３が分散配置されて突設されていることにより、体のツボの明確な位置が分からずとも、おおよその位置にマッサージ具を当てることで、ツボを刺激することができ、また、１度に複数のツボを刺激することも可能である。さらに、力が１点に集中することなく、程よい力加減で押したり揉んだりできる。分散配置されて突設されている複数の突起１３の底部断面積は、好ましくは０．２〜３．０ｃｍ2であり、その突起間距離は、好ましくは１０〜３０ｍｍの中心間ピッチで連設配置されて形成されていると好ましい。
【００４５】
また、複数の突起１３が上述の高さで突出していることにより、マッサージ剤が、マッサージにより、肌上の湯や水と良好に混合されて、ムラのない塗り広げが一層容易となる。
【００４６】
また、本実施形態では、突起１３は、各々、先端側に向って徐々に縮径する略円柱形状を有する。また突起１３は、その先端に凹凸形状を備えている。凹凸形状の好ましい凹凸形状として、例えば図７（ａ）〜（ｅ）に示すように、山形形状（図７（ａ）参照）、ドット形状（図７（ｂ）参照）、ワッフル形状（図７（ｃ）参照）、波型形状（図７（ｄ）参照）、３重突起形状（図７（ｅ）参照）等を採用することもできる。更に好ましくは、略円柱形状の突起の先端に設ける凹凸形状として、当該先端の外周部との間にリング状凹溝１３ａを介在させて中央小突起１３ｂがさらに突出する、２重の突起構造を採用しても良い（図５参照）。図７（ｅ）に示す凹凸形状は、突起の外周部との間に２本のリング状凹溝１３ａを介在させて中央小突起１３ｂが突出している。
突起１３が先端に凹凸形状を備えていることにより、肌をしっかりととらえ、より安定した状態でマッサージを行えるようにすることが可能になる。さらに、凹溝にマッサージ剤を保持することで、突起がツボや皮膚を刺激する際に効果的にマッサージ剤を適用できる。
特に、突起１２が先端に２重又は３重の突起構造を備えていることにより、水により２倍に希釈した時には２５℃での粘度が５０〜１５０００ｍＰａ・ｓとなる感覚剤含有マッサージ剤が、リング状凹溝に保持されることで、突起がツボや皮膚を刺激する際に効果的にマッサージ剤を適用できる。
【００４７】
さらに、本実施形態では、突起１３は、指股挟込み把持部１２を人差し指と中指との間の指股部で挟み込んで基板１１を手のひらに沿わせて手に装着した際に、基板１１の他方の面１１ｂに分散配置された複数の突起１３のうちの少なくとも１つ以上が、人指し指又は中指と重なって配置されるようになっている。このように配置されることにより、指の圧力が直接突起１３に伝わり、揉捏法によるマッサージを行う際に、肌をしっかりととらえ、より安定した状態でマッサージを行えるようにすることが可能になる。
【００４８】
なお、本実施形態では、円弧形状に縁取りされた基板１１の後端外周縁部１１ｃから斜め側方に突出して、係止輪部２１が設けられている。係止輪部２１は、基板１１と一体成形されて設けられていることが好ましい。係止輪部２１を例えば係止突起に係止することで、ボディマッサージ具１０を使用しない時に、当該マッサージ具１０を壁や収納部に簡易に納めておくことが可能になる。
【００４９】
本発明のボディマッサージキット又はボディマッサージシステムにおいて、ボディマッサージ具と併用する感覚剤含有マッサージ剤は、２５℃での粘度（希釈前の粘度、単にマッサージ剤粘度ともいう）が５００〜３０００００ｍＰａ・ｓであり、水により２倍（質量基準で２倍）に希釈した時には２５℃での粘度が５０〜１５０００ｍＰａ・ｓとなるマッサージ剤である。
このマッサージ剤は、本発明の、ボディマッサージ剤を濡れた肌と手のひらとの両者へ拡散させる方法のボディマッサージ剤であると共に、本発明のボディマッサージ具用のマッサージ剤でもある。以下、本発明のマッサージ剤又は本発明に用いるマッサージ剤を、本発明の感覚剤含有マッサージ剤ともいう。
なお、感覚剤含有マッサージ剤の物性として、水により２倍に希釈した時の粘度を規定した理由は、入浴やシャワー等により濡れた人の肌に、マッサージ剤を塗り拡げたときに、該マッサージ剤が水に希釈される程度が、概ね２倍程度であることによる。
【００５０】
２５℃でのマッサージ剤粘度が５００〜３０００００ｍＰａ・ｓであることで、液ダレすることなく濡れた肌に塗布することが可能であるとともに、伸びが悪くムラ付着してしまうこともなく、刺激感が抑制可能な点でも好ましい。より好ましい２５℃でのマッサージ剤粘度は１０００〜２５００００ｍＰａ・ｓであり、更に好ましい２５℃でのマッサージ剤粘度は２０００〜２５０００ｍＰａ・ｓであり、殊更に好ましい２５℃でのマッサージ剤粘度は３０００〜１００００ｍＰａ・ｓである。一方、水により２倍に希釈した時には２５℃での粘度が５０〜１５０００ｍＰａ・ｓであることで、濡れた肌に塗布されたマッサージ剤が肌上の水で希釈されてマッサージ具の開口部から手のひらへマッサージ剤が良好に広がるため、手のひらでも感覚剤を感じやすい。その結果、首肩（対象部位）と手のひらの２箇所への感覚付与により、冷感や温感等の実感効果が高まる。且つ、ムラ付着による刺激性も低い。水により２倍に希釈した時の２５℃での粘度は、より好ましくは７０〜１００００ｍＰａ・ｓであり、更に好ましくは１００〜１５００ｍＰａ・ｓである。また、水により２倍に希釈した時の２５℃での粘度は、希釈前の２５℃でのマッサージ剤粘度の３／４〜１／２００であることが好ましく、１／２〜１／５０であることが更に好ましい。
【００５１】
なお、マッサージ剤の粘度は、ＢＭ型のデジタル粘度計を用いて、２５℃、ローターＮｏ．２、回転数１００ｒｐｍ（５０〜５００ｍＰａ・ｓの粘度範囲のとき）、ないしはローターＮｏ．３、回転数１２ｒｐｍ（５００〜１００００ｍＰａ・ｓの粘度範囲のとき）、ないしはローターＮｏ．４、回転数１２ｒｐｍ（１００００〜５００００ｍＰａ・ｓの粘度範囲のとき）、ないしは回転数１．５ｒｐｍ（５００００〜３０００００ｍＰａ・ｓの粘度範囲のとき）、保持時間６０ｓの条件で測定することができる。
【００５２】
感覚剤含有マッサージ剤に含有される感覚剤としては、冷感剤や温感剤等が挙げられる。冷感剤としては、ｌ−メントール、ｄｌ−メントール、乳酸メンチル、３−ｌ−メントキシプロパン−１，２−ジオール、カンファー、チモール等を挙げることができる。温感剤としては、カプサイシン、ノニル酸バニリルアミド、ニコチン酸ベンジル、４−バニリルアルキルエーテル、ショウガオール、ジンゲロール、ジンゲロン等を挙げることができる。これらの感覚剤の中でも、温感剤として４−バニリルアルキルエーテルを用いると、刺激感の点で好ましい。これらの冷感剤や温感剤は、一種を単独で又は二種以上を組み合わせて用いることができる。
【００５３】
感覚剤含有マッサージ剤中の感覚剤の含有量は、例えば感覚剤が冷感剤や温感剤の場合、好ましくは０．００１〜３質量％であり、さらに好ましくは０．００２〜０．５質量％である。本発明によれば、ボディマッサージ具１０の開口部１４を介して、感覚剤含有マッサージ剤が手のひらに積極的に誘導されるため、手のひら、特に指股部にて感覚剤成分による冷感や温感等をより効果的に実感することが可能となる。
【００５４】
本発明の感覚剤含有マッサージ剤は、更に、カルボキシビニルポリマー及び／又はアルキル変性カルボキシビニルポリマーを含有しても良い。カルボキシビニルポリマー、アルキル変性カルボキシビニルポリマーは、アクリル酸（メタクリル酸）を主としてこれに少量のアリルショ糖で架橋した共重合体又はこれをアルキル化処理したものである。カルボキシビニルポリマー又はアルキル変性カルボキシビニルポリマーは、アルカリ剤を加えることにより水和ゲルを形成し増粘する。そのため、形成されたゲル相は、本発明の感覚剤含有マッサージ剤を皮膚に塗布した際、皮膚上に存在する塩分によって凝縮し、皮膚上に存在する水により希釈されるため、粘度が適度に低下する。カルボキシビニルポリマーとしては、重量平均分子量が５０万〜５００万、特に７５万〜１５０万であるものが好ましい。このような市販品の例としては、カルボキシビニルポリマーとしてカーボポール９８０、カーボポール９８１、カーボポール９３４（以上、いずれも、Ｌｕｂｒｉｚｏｌ社製）等が、アルキル変性カルボキシビニルポリマーとしてペムレンＴＲ−１、ペムレンＴＲ−２（以上、いずれも、Ｌｕｂｒｉｚｏｌ社製）等が挙げられる。
【００５５】
感覚剤含有マッサージ剤中のカルボキシビニルポリマー及び／又はアルキル変性カルボキシビニルポリマーの合計の含有量は、濡れた肌に塗布した時（水で２倍希釈された時）に適度に粘度が低下する観点から、マッサージ剤中、好ましくは０．０２〜０．９質量％であり、より好ましくは０．０５〜０．７質量％、更に好ましくは０．０６〜０．５質量％である。
【００５６】
なお、カルボキシビニルポリマー及び／又はアルキル変性カルボキシビニルポリマーによって、より有効にゲル相を形成させるには、カルボキシビニルポリマー及び／又はアルキル変性カルボキシビニルポリマーを水相ないしは油相に分散した後に、適当な中和剤を添加するのがよい。中和剤を添加することによって適度な実粘度を有するゲル相を形成することができる。このような中和剤としては、具体的には、例えば、無機アルカリ化合物や有機アルカリ化合物が挙げられる。より具体的には、水酸化ナトリウム、水酸化カリウム等の無機アルカリ化合物のほか、（モノ、ジ、トリ）エタノールアミン、（モノ、ジ、トリ）イソプロパノールアミン、２−アミノ−２−メチル−１−プロパノール、２−アミノ−２−メチル−１，３−プロパンジオール、２−アミノ−２−ヒドロキシメチル−１，３−プロパンジオール等の有機アルカリ化合物が挙げられる。なかでも、より良好なゲル相を形成させる点から、水酸化ナトリウム、水酸化カリウム、トリエタノールアミン、２−アミノ−２−メチル−１−プロパノール、２−アミノ−２−メチル−１，３−プロパンジオールが好ましい。中和剤の含有量は、感覚剤含有マッサージ剤全量中、好ましくは０．００４〜１．５質量％、より好ましくは０．０１〜０．６質量％である。
【００５７】
本発明の感覚剤含有マッサージ剤は、適度な粘性を付与する点から、粘度調整剤を含有することが好ましい。かかる粘度調整剤としては、具体的には、例えば、カルボキシメチルセルロース、ヒドロキシメチルセルロース、ヒドロキシエチルセルロース、ヒドロキシプロピルセルロース、ポリビニルピロリドン、ポリビニルアルコール、カラギーナン、キサンタンガム、デンプン誘導体等の有機系高分子化合物、カオリン、タルク、酸化チタン、ケイ酸アルミニウムマグネシウム、合成ケイ酸ナトリウム、合成ケイ酸アルミニウム、合成ケイ酸ナトリウムマグネシウム等の無機系化合物が挙げられる。これらは１種単独で使用してもよく、２種類以上組み合わせて使用してもよい。
【００５８】
本発明の感覚剤含有マッサージ剤は、マッサージ剤全量中、界面活性剤の含有量が、好ましくは０．１％以下であり、より好ましくは０．０５％以下であり、さらに界面活性剤を含まないことが特に好ましい。このようにすることで、濡れた肌に塗布した時（水で２倍希釈された時）に適度に粘度が低下させることが可能である。
【００５９】
本発明の感覚剤含有マッサージ剤は、マッサージ剤全量中、油性成分の含有量が、好ましくは４０％以下であり、より好ましくは２０％以下であり、さらに好ましくは５％以下であり、さらに油性成分を含まないことが特に好ましい。このようにすることで、濡れた肌に塗布した時（水で２倍希釈された時）に適度に粘度が低下させることが可能である。
【００６０】
本発明の感覚剤含有マッサージ剤には、所望により、更に上記成分以外の成分、例えば、防腐剤、顔料、色素、キレート剤、消炎剤、収斂剤、細胞賦活剤、痩身剤、美白剤、皮脂分泌抑制剤、除毛成分、抗酸化剤、香料等を適宜配合してもよい。
【００６１】
上述の構成を備える本実施形態のボディマッサージキット及びボディマッサージシステムによれば、手のひらにとったり身体に塗布した感覚剤含有マッサージ剤を、マッサージを行いながら身体の皮膚に沿って容易に且つスムーズに塗り広げてゆくことが可能になると共に、感覚剤成分による冷感や温感等を、手に実感しながらマッサージを行うことが可能になる。
【００６２】
すなわち、本実施形態のボディマッサージキット及びボディマッサージシステムにおいては、ボディマッサージ具１０を、開口部１４を有する板状の基板１１の一方の面１１ａに手のひらを沿わせて手に装着して用いる。
そして、例えばバスルームやシャワールームにおいて、感覚剤含有マッサージ剤を手のひらにとり、その手のひらでマッサージ対象部位に付着させ（塗り広げても良い）、その後、マッサージ剤をとった手あるいは反対側の手に当該マッサージ具１０を装着した状態で、突起１３が分散配置された基板１１の他方の面１１ｂを接触させて、当該基板１１の他方の面１１ｂによって肌を撫でたり擦ったり揉んだりしながら皮膚に沿って基板１１を移動させてゆけば、基板１１に形成された相当の開口面積を有する開口部１４を流通開口として、対象部位に付着した感覚剤含有マッサージ剤が、手のひら側に移動し、指股の付け根まで良好に行き渡り、これによって感覚剤を手の指股部にて効果的に実感することが可能となる。
あるいは、例えばバスルームやシャワールームにおいて、感覚剤含有マッサージ剤を手のひらにとった手に当該ボディマッサージ具１０を装着した状態で、湯や水で濡れた身体に、好ましくは突起１３が分散配置された基板１１の他方の面１１ｂを接触させて、当該基板１１の他方の面１１ｂによって肌を撫でたり擦ったり揉んだりしながら皮膚に沿って基板１１を移動させてゆけば、基板１１に形成された相当の開口面積を有する開口部１４を流通開口として、手のひらにとった感覚剤含有マッサージ剤を身体の肌の側に流出させたり、肌に付着した湯や水を手のひら側に流入させたりしながら、水分と混ざり合った感覚剤含有マッサージ剤を、マッサージ中の基板１１の移動に伴って、身体の皮膚に沿って効率良く且つ効果的に塗り広げてゆくことが可能になる。
【００６３】
本発明の、ボディマッサージ剤を濡れた肌と手のひらとの両者へ拡散させる方法の好ましい実施態様においては、本発明の感覚剤含有マッサージ剤を、シャワーや入浴等により濡れた状態のマッサージ対象部位（例えば、肩や首、四肢等）に任意の方法により付けた後、開口部を有する板状の基板の一方の面に手のひらを沿わせて手に装着して用いるボディマッサージ具にて、そのマッサージ剤を塗布した肌を把握揉捏して、該マッサージ剤を濡れた肌と手のひらとの両者へ拡散させる。このような方法により、マッサージ剤を、マッサージ対象部位と手のひらの両者に容易に塗り広げることができ、感覚剤による冷感や温感等を効果的に実感させることができる。
【００６４】
なお、本発明は上記実施形態に限定されることなく種々の変更が可能である。例えば、開口部は、縦横に相当の大きさの開口幅を有する、その他の種々の開口形状を備えていても良く、複数個の開口部の集合であっても良い。また、基板の肌当て面となる他方の面は、平坦な面やリブの形成された面であっても良い。
【００６５】
さらに、位置決め手段は、開口部が指股部又は指股部近傍に配置されるように手を位置決めさせることが可能な、その他の種々の位置決め手段を採用することもできる。例えば図８（ａ）〜（ｄ）に示すように、好ましくは中指と薬指との間の指股部によって挟みこむ、略円柱形状の指股挟込み把持部（図８（ａ）参照）や、基板の一方の面に設けられた、当該基板の一方の面との間に指を挿入させることで指股部を配置させることが可能な、バンド（図８（ｂ）参照）、スリットバンド（図８（ｃ）参照）、カバー（図８（ｄ）参照）等を、位置決め手段として採用することもできる。
【００６６】
本発明におけるボディマッサージ具及び感覚剤含有マッサージ剤は、例えば、組み合わせてボディマッサージに用いるキット（セット）等として、ボディマッサージ具と容器に収納した感覚剤含有マッサージ剤とを、同一のパッケージ（包装袋、包装箱）に収容して市場に流通（販売等）させることが好ましい。そのパッケージの外面やパッケージに添付する説明書等には、感覚剤含有マッサージ剤とボディマッサージ具との併用方法（例えば、マッサージ剤及び／又はボディマッサージ具の使用方法として前述した方法の何れか一以上）を記載しておくことも好ましい。
また、本発明におけるボディマッサージ具及び感覚剤含有マッサージ剤は、何れか一方、好ましくは双方に、両者を組み合わせて使用すること（好ましくは推奨すること）を表示して販売等することも好ましい。
【実施例】
【００６７】
以下、本発明について、実施例に基づき具体的に説明する。なお、表中に特に示さない限り、各成分の含有量は質量％を示す。
なお、各マッサージ剤の評価は、以下の方法にしたがって行った。
【００６８】
《塗りのばしやすさ、温感、刺激性》
５名の専門パネラーがシャワー直後の身体が濡れている状態で、各マッサージ剤を首・肩部に塗布し、ボディマッサージ具の一方の面に手のひらを沿わせて手に装着したボディマッサージ具にてマッサージを行い、塗布時の塗り伸ばしやすさ、ボディマッサージ具でのマッサージ時の温感、及び刺激性についての官能評価を行った。それぞれの評価基準は以下の通りであり、５名の評価点の平均を算出し、判定基準に従って評価した。
実施例１〜４及び比較例１〜６においては、図１〜図６に示す形態のボディマッサージ具を用いた。開口部１４を２等分割する線分に沿った断面において、開口部１４の開口幅は基板１１の幅に対して４５％であり、突起の高さ（面１１ｂからの高さ）は８ｍｍであり、開口部１４の開口面積は５．２ｃｍ2であった。比較例７については、開口部を有しない以外は、同様のものを用いた。
【００６９】
（１）塗布時の塗り伸ばしやすさ
〈評価基準〉
５：とても塗り伸ばしやすい
４：塗り伸ばしやすい
３：やや塗り伸ばしやすい
２：あまり塗り伸ばしやすくない
１：塗り伸ばしやすくない
〈判定基準〉
◎：５点以上
○：４点以上５点未満
△：２．５点以上４点未満
×：２．５点未満
【００７０】
（２）マッサージ具でのマッサージ時の温感
〈評価基準〉
４：熱すぎるほどの温感を感じた
３：心地良い温感を感じた
２：やや心地良い温感を感じた
１：温感を感じなかった
〈判定基準〉
××：４点以上
○：３点以上４点未満
△：２点以上３点未満
×：２点未満
【００７１】
（３）刺激性
〈評価基準〉
５：全く刺激性がない
４：ほとんど刺激性がない
３：許容範囲の刺激性
２：やや刺激性がある
１：非常に刺激性がある
〈判定基準〉
◎：５点以上
○：４点以上５点未満
△：２．５点以上４点未満
×：２．５点未満
【００７２】
［実施例１〜４、比較例１〜６］
表１〜表２に示す原料を混合してマッサージ剤を調製し、上記方法により評価を行った。結果を表１〜表２に示す。なお、粘度（２５℃）の測定には、ＢＭ型のデジタル粘度計（東機産業株式会社社製のＴＶＢ−１０Ｍ）を用い、前述の通り、粘度に応じたローター及び回転数にて測定した。また、２倍希釈時の粘度は、２５℃に保持したマッサージ剤に、２５℃のイオン交換水を質量において同量添加し、攪拌して得た２倍希釈液の粘度を測定した。
【００７３】
【表１】
0005937368.tif 000002
【００７４】
【表２】
0005937368.tif 000003
【００７５】
表１の結果によれば、実施例１〜４では、手のひらに剤を取った時に垂れることなく、濡れ肌でのボディマッサージ具使用時（２倍希釈時）は適度に粘度が低下し、開口部から手のひらへ剤が行き渡り、手のひらでも感覚剤の効果が実感可能であった。なかでも温感剤としてバニリルブチルエーテルを用いた実施例１は、実施例２よりも皮膚低刺激性の点で良好であった。
一方、２倍希釈時の粘度の低すぎる比較例１及び２は、濡れ肌でのボディマッサージ具使用時（２倍希釈時）に粘度が低くなりすぎてしまい手のひらへ剤が到達せず、手のひらでの温感が感じられなかった。２倍希釈時に水となじまず分離したままで粘度が測定不能な比較例３は、刺激感の点で好ましくなかった。希釈前の粘度も低すぎる比較例１については、塗り伸ばし易さに関しても垂れてしまい好ましくなかった。また、２倍希釈時の粘度の高すぎる比較例４及び５は、濡れ肌でのボディマッサージ具使用時（２倍希釈時）に粘度が高く刺激感の点で好ましくなかった。比較例５及び６については、塗り伸ばし易さに関しても伸びが悪くムラ付着してしまい対象部位での刺激感の点でも好ましくなかった。比較例７では、開口部のないマッサージ具であるため、開口部から手のひらへ剤が行き渡らず、手のひらでの温感が感じられなかった。
【符号の説明】
【００７６】
１０  ボディマッサージ具
１１  基板
１１ａ  一方の面
１１ｂ  他方の面
１１ｃ  後端外周縁部
１１ｄ  先端外周縁部
１１ｅ  側縁部
１２  指股挟込み把持部
１２ａ  指股挟込み把持部の基板の後端縁部側の基端部
１２ｂ  指股挟込み把持部の側面
１３  突起
１３ａ  リング状凹溝
１３ｂ  中央小突起
１４  開口部
１５  位置決め手段
１６  板状部分
１７  表面リブ
１８  側面リブ
１９  指掛けつば部
２０  周縁肉厚部
Ｘ    屈曲谷線
【図１】
0005937368.tif 000004
【図２】
0005937368.tif 000005
【図３】
0005937368.tif 000006
【図４】
0005937368.tif 000007
【図５】
0005937368.tif 000008
【図６】
0005937368.tif 000009
【図７】
0005937368.tif 000010
【図８】
0005937368.tif 000011